(57)【要約】【課題】埋め立てられた廃棄物の安定化を促進する手段を提供する。【解決手段】廃棄物の埋立処分方法は、以下の工程を備える。まず、処分ピット１１の複数の埋立区画から選択した埋立区画を覆蓋施設１２で覆蓋する。続いて、覆蓋施設１２で覆蓋した埋立区画に所定の厚さ以下の廃棄物を埋め立てる。続いて、覆蓋施設１２で覆蓋した埋立区画に埋め立てられた廃棄物の上に所定の厚さの覆土を行う。続いて、複数の埋立区画から選択した別の埋立区画に覆蓋施設１２を移動する。その際、覆土した廃棄物を不透水層で覆うことなく、外界に晒す。その結果、廃棄物中の微生物に十分な酸素と水（雨水）が供給され、廃棄物中の有機物の分解が進行するとともに、雨水による廃棄物の洗い出しが行われる。その結果、廃棄物の安定化が促進される。処分ピット１１が満杯になるまで、複数の埋立区画の各々に関し上述の工程の各々を繰り返し行う。【選択図】図２
2019217470.tif 000002
【特許請求の範囲】
【請求項１】
処分ピットの複数の埋立区画から選択した埋立区画を覆蓋施設で覆蓋する工程と、
覆蓋した埋立区画に所定の厚さ以下の廃棄物を埋め立てる工程と、
覆蓋した埋立区画に前記所定の厚さ以下に埋め立てた廃棄物を所定の厚さで覆土する工程と、
廃棄物に対する覆土が行われた埋立区画から前記覆蓋施設を移動する工程と、
前記覆蓋施設が移動された埋立区画に埋め立てられた廃棄物を不透水層で覆わず当該廃棄物を安定化する工程と
を備え、
前記複数の埋立区画の各々に関し、前記覆蓋する工程、前記埋め立てる工程、前記覆土する工程、前記移動する工程及び前記安定化する工程の各々を複数回行う
廃棄物の埋立処分方法。
【請求項２】
前記安定化する工程の後に、覆土の上に不透水層を設置する工程を備える
請求項１に記載の廃棄物の埋立処分方法。
【請求項３】
前記複数の埋立区画のうち、満杯になっていない埋立区画の各々に関し、当該埋立区画に埋め立てられた廃棄物のｐＨ及び有機物分解の進行度の少なくとも一方を特定する工程
を備え、
前記特定したｐＨ及び有機物分解の進行度の少なくとも一方に基づき、前記満杯になっていない埋立区画の中から、前記移動する工程において移動された前記覆蓋施設で新たに覆蓋する埋立区画の選択を行う
請求項１又は２に記載の廃棄物の埋立処分方法。
【発明の詳細な説明】
【技術分野】
【０００１】
本発明は、廃棄物の埋立処分方法に関する。
【背景技術】
【０００２】
廃棄物の埋立処分が行われる管理型最終処分場の多くは屋外に設置されるオープン型処分場である。オープン型処分場においては、埋立時に廃棄物の飛散、悪臭、地下水汚染等の問題が生じる場合がある。
【０００３】
上述したオープン型処分場の問題を軽減するために、埋立時に埋立地の上方を覆う覆蓋施設を備えるクローズドシステム処分場が採用される場合もある。クローズドシステム処分場には、埋立地の上方の全てを覆蓋施設で覆う全体上屋方式と、埋立地の複数の区画のうち埋立が行われる区画の上方を覆うように小規模な覆蓋施設を移動させる上屋移動方式がある。
【０００４】
上屋移動方式のクローズドシステム処分場に関する技術を開示する特許文献として、例えば特許文献１がある。特許文献１には、廃棄物を埋め立て処分する処分ピットの上方に移動式屋根が設けられた屋内廃棄物処分場が記載されている。特許文献１に記載の屋内廃棄物処分場では、移動式屋根を隣接した区画に移動させながら、移動式屋根の下方の処分ピットの部分に廃棄物が多段に埋め立てられる。
【先行技術文献】
【特許文献】
【０００５】
【特許文献１】特開２０１１−１９４３６９号公報
【発明の概要】
【発明が解決しようとする課題】
【０００６】
オープン型処分場、クローズドシステム処分場のいずれにおいても、廃棄物を高く埋め立てると、下方に埋め立てられた廃棄物への通気性が損なわれ、微生物による有機物の分解が阻害される。また、廃棄物は焼却灰等の影響により、高アルカリ性を示す場合が多い。そのため、浸出水が排水基準に達するまでに長時間を要する。
【０００７】
上述の背景に鑑み、本発明は、埋め立てられた廃棄物の安定化を促進する手段を提供する。
【課題を解決するための手段】
【０００８】
上述した課題を解決するために、本発明は、処分ピットの複数の埋立区画から選択した埋立区画を覆蓋施設で覆蓋する工程と、覆蓋した埋立区画に所定の厚さ以下の廃棄物を埋め立てる工程と、覆蓋した埋立区画に前記所定の厚さ以下に埋め立てた廃棄物を所定の厚さで覆土する工程と、廃棄物に対する覆土が行われた埋立区画から前記覆蓋施設を移動する工程と、前記覆蓋施設が移動された埋立区画に埋め立てられた廃棄物を不透水層で覆わず当該廃棄物を安定化する工程とを備え、前記複数の埋立区画の各々に関し、前記覆蓋する工程、前記埋め立てる工程、前記覆土する工程、前記移動する工程及び前記安定化する工程の各々を複数回行う廃棄物の埋立処分方法を第１の態様として提供する。
【０００９】
第１の態様の廃棄物の埋立処分方法によれば、埋立区画に所定の厚さ以下に埋め立てられた廃棄物が、覆蓋施設で覆蓋されている期間における散水及び覆蓋施設に覆蓋されていない期間における雨水による洗い出しと、微生物に酸素が供給されることによる有機物の分解等により、廃棄物の安定化が促進される。
【００１０】
第１の態様の廃棄物の埋立処分方法において、前記安定化する工程の後に、覆土の上に不透水層を設置する工程を備える、という構成が第２の態様として採用されてもよい。
【００１１】
第２の態様の廃棄物の埋立処分方法によれば、安定化していない上層の廃棄物からの浸出水が、その下層の安定化している廃棄物に侵入しない。
【００１２】
第１又は第２の態様の廃棄物の埋立処分方法において、前記複数の埋立区画のうち、満杯になっていない埋立区画の各々に関し、当該埋立区画に埋め立てられた廃棄物のｐＨ及び有機物分解の進行度の少なくとも一方を特定する工程を備え、前記特定したｐＨ及び有機物分解の進行度の少なくとも一方に基づき、前記満杯になっていない埋立区画の中から、前記移動する工程において移動された前記覆蓋施設で新たに覆蓋する埋立区画の選択を行う、という構成が第３の態様として採用されてもよい。
【００１３】
第３の態様の廃棄物の埋立処分方法によれば、効率的に廃棄物の安定化を進めることができる。
【図面の簡単な説明】
【００１４】
【図１】一実施形態に係る廃棄物処分場の全体構成を模式的に示した図。
【図２】一実施形態に係る処分ピットへ廃棄物の埋立を行う工程を説明するための図。
【図３】一実施形態に係る処分ピットへ廃棄物の埋立を行う工程を説明するための図。
【図４】一実施形態に係る処分ピットにおける廃棄物からの浸出水の処理を説明するための図。
【図５】一変形例に係る廃棄物処分場における廃棄物の埋立を行う工程を説明するための図。
【図６】一変形例に係る廃棄物処分場における廃棄物の埋立を行う工程を説明するための図。
【発明を実施するための形態】
【００１５】
［実施形態］
以下に本発明の一実施形態に係る廃棄物処分場１における廃棄物の埋立処分方法を説明する。図１は、廃棄物処分場１の全体構成を模式的に示した図である。
【００１６】
廃棄物処分場１は、上屋移動方式のクローズドシステム処分場であり、長方形状の底面を有する処分ピット１１と、処分ピット１１の上方の一部を覆う覆蓋施設１２が設けられている。以下の説明において、廃棄物処分場１における方向は、図１の３つの矢印が示すｘ、ｙ、ｚを用いて記載する。
【００１７】
覆蓋施設１２は、処分ピット１１の上方を覆う屋根１２１と、屋根１２１をｙ側の端辺の下方で支持する壁体である右壁１２２Ｒと、屋根１２１を−ｙ側の端辺の下方で支持する壁体である左壁１２２Ｌを備える。以下、右壁１２２Ｒと左壁１２２Ｌを「壁１２２」と総称する。
【００１８】
覆蓋施設１２は、さらに、屋根１２１のｘ側の端辺から下方に垂れ下がる可撓性シートである前幕１２３Ｆと、屋根１２１の−ｘ側の端辺から下方に垂れ下がる可撓性シートである後幕１２３Ｂを備える。以下、前幕１２３Ｆと後幕１２３Ｂを「幕１２３」と総称する。
【００１９】
幕１２３の素材は、覆蓋施設１２内で発生する埃が外部へ漏れ出ることを防ぎ、耐水性を備え、廃棄物及び覆土の形状に追随できる柔軟性を備えるものであれば、いずれの素材であってもよい。幕１２３の素材の具体例としては、ポリエステル、ターポリン、ゴム等が挙げられる。
【００２０】
覆蓋施設１２は、さらに、前幕１２３Ｆ及び後幕１２３Ｂを巻き上げる巻き上げ機構（図示略）を備える。巻き上げ機構により、前幕１２３Ｆ及び後幕１２３Ｂの下端位置は、処分ピット１１の底面から上面に至る範囲内で調整可能である。
【００２１】
図１に示した廃棄物処分場１においては、覆蓋施設１２の移動方法として、スライド方式が採用されている。この場合、処分ピット１１の上縁のｙ方向における外側には、ｘ方向に延伸するレール１３Ｒを設置し、処分ピット１１の上縁の−ｙ方向における外側には、ｘ方向に延伸するレール１３Ｌを設置する。以下、レール１３Ｒとレール１３Ｌを「レール１３」と総称する。
【００２２】
また、覆蓋施設１２の右壁１２２Ｒ及び左壁１２２Ｌの各々の下端面に、レール１３に沿って回転する車輪（図示略）を設ける。作業者は、車輪の回転により覆蓋施設１２をレール１３に沿って容易に移動することができる。
【００２３】
処分ピット１１に隣接した位置には、浸出水処理施設１４が設けられている。浸出水処理施設１４は処分ピット１１に埋め立てられた廃棄物からの浸出水を処理する施設である。
【００２４】
図２は、処分ピット１１へ廃棄物の埋立を行う工程を説明するための図である。図２（Ａ）、図２（Ｂ）、図２（Ｃ）、及び図２（Ｄ）の各々において、上段は処分ピット１１を上方から見た平面図であり、下段は処分ピット１１を側方（ｙ側）から見た断面図である。
【００２５】
図２の例において、処分ピット１１の平面視における大きさは、概ね屋根１２１の大きさの４倍である。図２（Ａ）は、処分ピット１１のうち、最も−ｘ側の概ね４分の１の部分が屋根１２１により覆蓋されている状態を示している。以下、図２（Ａ）に示される状態において屋根１２１に覆蓋されている処分ピット１１の部分を第１埋立区画という。
【００２６】
図２（Ｂ）は、処分ピット１１のうち、第１埋立区画にｘ側から隣接する概ね４分の１の部分が屋根１２１により覆蓋されている状態を示している。以下、図２（Ｂ）に示される状態において屋根１２１に覆蓋されている処分ピット１１の部分を第２埋立区画という。
【００２７】
図２（Ｃ）は、処分ピット１１のうち、第２埋立区画にｘ側から隣接する概ね４分の１の部分が屋根１２１により覆蓋されている状態を示している。以下、図２（Ｃ）に示される状態において屋根１２１に覆蓋されている処分ピット１１の部分を第３埋立区画という。
【００２８】
図２（Ｄ）は、処分ピット１１のうち、第３埋立区画にｘ側から隣接する概ね４分の１の部分、すなわち、処分ピット１１のうち、最もｘ側の概ね４分の１の部分が屋根１２１により覆蓋されている状態を示している。以下、図２（Ｄ）に示される状態において屋根１２１に覆蓋されている処分ピット１１の部分を第４埋立区画という。
【００２９】
作業者は、まず、図２（Ａ）に示すように、空の処分ピット１１の第１埋立区画を覆蓋施設１２で覆蓋する。作業者は、前幕１２３Ｆの下端が処分ピット１１の底面に接するように、前幕１２３Ｆの長さを調整する。また、作業者は、後幕１２３Ｂの下端が処分ピット１１の上端に接するように、後幕１２３Ｂの長さを調整する。
【００３０】
続いて、作業者は、覆蓋施設１２で覆蓋した第１埋立区画に、所定の厚さ（例えば、一般廃棄物であれば、おおむね３ｍ以下）に廃棄物を埋め立て、第１埋立区画の底面上に廃棄物層２１（１）を形成する。
【００３１】
続いて、作業者は、廃棄物層２１（１）を所定の厚さ（例えば、一般廃棄物であれば、おおむね５０ｃｍ）で覆土し、廃棄物層２１（１）の上に覆土層３１（１）を形成する。図２（Ａ）の下段は、覆土層３１（１）の形成が完了した状態を示している。
【００３２】
続いて、作業者は、覆蓋施設１２を第１埋立区画から第２埋立区画に移動する。すなわち、作業者は、覆蓋施設１２を第１埋立区画から、第１埋立区画〜第４埋立区画の中から新たに選択した埋立区画である第２埋立区画に移動し、覆蓋する。
【００３３】
図２（Ｂ）に示される覆蓋施設１２は、第２埋立区画を覆蓋している状態の覆蓋施設１２を示している。作業者は、後幕１２３Ｂの下端が覆土層３１（１）の上面に接するように、後幕１２３Ｂの長さを調整する。なお、前幕１２３Ｆの長さは、下端が処分ピット１１の上面に接する長さで維持されている。
【００３４】
続いて、作業者は、覆蓋施設１２で覆蓋した第２埋立区画に、厚さがおおむね３ｍ以下の廃棄物を埋め立てる。その結果、第２埋立区画の底面上に、厚さがおおむね３ｍ以下の廃棄物層２１（２）が形成される。
【００３５】
続いて、作業者は、廃棄物層２１（２）をおおむね５０ｃｍの厚さで覆土する。その結果、廃棄物層２１（２）の上に覆土層３１（２）が形成される。図２（Ｂ）の下段は、覆土層３１（２）の形成が完了した状態を示している。
【００３６】
続いて、作業者は、覆蓋施設１２を第２埋立区画から第３埋立区画に移動する。すなわち、作業者は、覆蓋施設１２を第２埋立区画から、第１埋立区画〜第４埋立区画の中から新たに選択した埋立区画である第３埋立区画に移動し、覆蓋する。
【００３７】
図２（Ｃ）に示される覆蓋施設１２は、第３埋立区画を覆蓋している状態の覆蓋施設１２を示している。なお、前幕１２３Ｆの長さは、下端が処分ピット１１の上面に接する長さで維持されており、後幕１２３Ｂの長さは、下端が覆土層３１（２）の上面に接する長さで維持されている。
【００３８】
続いて、作業者は、覆蓋施設１２で覆蓋した第３埋立区画に、厚さがおおむね３ｍ以下の廃棄物を埋め立てる。その結果、第３埋立区画の底面上に、厚さがおおむね３ｍ以下の廃棄物層２１（３）が形成される。
【００３９】
続いて、作業者は、廃棄物層２１（３）をおおむね５０ｃｍの厚さで覆土する。その結果、廃棄物層２１（３）の上に覆土層３１（３）が形成される。図２（Ｃ）の下段は、覆土層３１（３）の形成が完了した状態を示している。
【００４０】
続いて、作業者は、覆蓋施設１２を第３埋立区画から第４埋立区画に移動する。すなわち、作業者は、覆蓋施設１２を第３埋立区画から、第１埋立区画〜第４埋立区画の中から新たに選択した埋立区画である第４埋立区画に移動し、覆蓋する。
【００４１】
図２（Ｄ）に示される覆蓋施設１２は、第４埋立区画を覆蓋している状態の覆蓋施設１２を示している。作業者は、前幕１２３Ｆの下端が処分ピット１１の上端に接するように、前幕１２３Ｆの長さを調整する。なお、後幕１２３Ｂの長さは、下端が覆土層３１（３）の上面に接する長さで維持されている。
【００４２】
続いて、作業者は、覆蓋施設１２で覆蓋した第４埋立区画に、厚さがおおむね３ｍ以下の廃棄物を埋め立てる。その結果、第４埋立区画の底面上に、厚さがおおむね３ｍ以下の廃棄物層２１（４）が形成される。
【００４３】
続いて、作業者は、廃棄物層２１（４）をおおむね５０ｃｍの厚さで覆土する。その結果、廃棄物層２１（４）の上に覆土層３１（４）が形成される。図２（Ｄ）の下段は、覆土層３１（４）の形成が完了した状態を示している。
【００４４】
図３は、覆土層３１（４）を形成する工程に続く工程を説明するための図である。作業者は、第４埋立区画において覆土層３１（４）の形成を完了すると、続いて、覆蓋施設１２を第４埋立区画から新たに選択した埋立区画である第１埋立区画まで移動する。図３（Ａ）に示される覆蓋施設１２は、再び第１埋立区画を覆蓋するように配置された状態の覆蓋施設１２である。
【００４５】
図３（Ａ）の下段の図において、廃棄物層２１は廃棄物層２１（１）〜廃棄物層２１（４）が連結された廃棄物層を示している。また、図３（Ａ）の下段の図において、覆土層３１は覆土層３１（１）〜覆土層３１（４）が連結された覆土層を示している。
【００４６】
図３（Ａ）に示される覆蓋施設１２において、前幕１２３Ｆは下端が覆土層３１の上面に接する長さに調整されている。また、図３（Ａ）に示される覆蓋施設１２において、後幕１２３Ｂは下端が処分ピット１１の上端に接する長さに調整されている。
【００４７】
作業者は、覆蓋施設１２で覆蓋した第１埋立区画に、２回目の廃棄物層の形成及び覆土層の形成を行う。その結果、図３（Ａ）の下段に示すように、第１埋立区画の覆土層３１の上に、厚さがおおむね３ｍ以下の廃棄物層２２（１）と、厚さがおおむね５０ｃｍの覆土層３２（１）が形成される。
【００４８】
その後、作業者は、第２埋立区画〜第４埋立区画の各々に関し、覆蓋施設１２による覆蓋を行った後、２回目の廃棄物層の形成及び覆土層の形成を行う。図３（Ｂ）は、第１埋立区画〜第４埋立区画の各々に関し、２回目の廃棄物層の形成及び覆土層の形成が完了した状態を示している。なお、図３（Ｂ）の下段の図において、廃棄物層２２は第１埋立区画〜第４埋立区画において形成された２番目の廃棄物層である。また、図３（Ｂ）の下段の図において、覆土層３２は第１埋立区画〜第４埋立区画において形成された２番目の覆土層である。
【００４９】
その後、作業者は、第１埋立区画〜第４埋立区画の各々に関し、覆蓋施設１２による覆蓋を行った後、３回目の廃棄物層の形成及び覆土層の形成を行う。図３（Ｃ）は、第１埋立区画〜第４埋立区画の各々に関し、３回目の廃棄物層の形成及び覆土層の形成が完了した状態を示している。なお、図３（Ｃ）の下段の図において、廃棄物層２３は第１埋立区画〜第４埋立区画において形成された３番目の廃棄物層である。また、図３（Ｃ）の下段の図において、覆土層３３は第１埋立区画〜第４埋立区画において形成された３番目の覆土層である。
【００５０】
図２〜図３の例では、処分ピット１１は廃棄物層と覆土層が交互に各々３層、積層した状態で満杯となる。
【００５１】
続いて、作業者は、覆蓋施設１２を処分ピット１１から撤去するとともに、覆土層３３の上にキャッピングを行う。これにより、処分ピット１１に対する埋立の作業が完了する。
【００５２】
図４は、処分ピット１１における廃棄物からの浸出水の処理を説明するための図である。図４は、第１埋立区画〜第３埋立区画における１回目の廃棄物層及び覆土層の形成が完了し、第４埋立区画における１回目の廃棄物層の形成が行われている状態を示している。
【００５３】
覆蓋施設１２で覆蓋された第４埋立区画においては、散水設備１２４により、投入された廃棄物に対する散水が行われる。また、覆蓋施設１２で覆蓋されていない第１埋立区画〜第３埋立区画においては、自然の降雨があると、覆土された廃棄物に対する雨水の浸入が生じる。
【００５４】
第１埋立区画〜第４埋立区画のいずれにおいても、投入された廃棄物は不透水層に覆われていないため、廃棄物内に酸素と水が供給される。そのため、微生物により有機物の分解が行われるとともに、廃棄物の洗い出しが行われる。その結果、廃棄物の安定化が促進される。なお、本願において、廃棄物の安定化は、廃棄物に含まれる有機物の分解が進むことと、廃棄物のｐＨが低下することの少なくとも一方を意味する。
【００５５】
このように、本実施形態においては、覆土がされた廃棄物は覆蓋施設１２が撤去された後、不透水層で覆われることなく空気や雨水に晒され、安定化される。すなわち、本実施形態に係る廃棄物の埋立処分方法は、第１埋立区画〜第４埋立区画の各々において、廃棄物層と覆土層の形成が行われ、覆蓋施設１２が撤去された後、廃棄物を不透水層で覆わずに安定化する工程を備える。なお、この廃棄物を安定化する工程は、覆蓋施設１２で覆蓋された埋立区画における廃棄物を埋め立てる工程と、埋め立てられた廃棄物を覆土する工程が進行する間も、継続して行われる。
【００５６】
廃棄物の安定化に伴い、廃棄物からは浸出水が生じる。この浸出水には雨水や、散水設備１２４から散水された水が混入している。処分ピット１１の底面部には、処分ピット１１内の廃棄物から生じる浸出水を排水するための浸出水排水管（図示略）が設けられている。浸出水排水管により集められた浸出水は浸出水処理施設１４に排水され、浸出水処理施設１４により処理される。
【００５７】
本実施形態に係る廃棄物の埋立処分方法においては、オープン型処分場と比較し、覆蓋施設１２により覆蓋されている埋立区画に降った雨水を処分ピット１１外に放流するため、浸出水処理施設１４が処理すべき浸出水の量が少なくなる。従って、浸出水処理施設１４の小規模化が可能となる。
【００５８】
また、浸出水処理施設１４が備えるべき処理能力は、浸出水濃度のピーク値によっても影響を受ける。本実施形態に係る廃棄物の埋立処分方法による場合、廃棄物は所定の厚さまで投入されると覆土され、不透水層で覆われることなく外界に晒され、酸素の供給と雨水の浸透により安定化が促進されるため、例えば、覆蓋施設１２を移動せず、同一区画で満杯になるまで廃棄物と覆土を所定の厚さ毎に交互に投入する方法と比較し、浸出水濃度のピーク値は低くなる。従って、浸出水処理施設１４に高い処理能力が要求されない。
【００５９】
［変形例］
上述の実施形態は様々に変形され得る。以下に、それらの変形の例を示す。なお、以下
に示す２以上の変形例が適宜組み合わされてもよい。
【００６０】
（１）上述の実施形態に係る廃棄物の埋立処分方法は、覆土した廃棄物層を不透水層で覆う工程は備えない。しかしながら、本発明に係る廃棄物の埋立処分方法は、廃棄物の安定化が十分に進んだ後に、作業者が覆土層の上に不透水層を設置する工程を備えてもよい。
【００６１】
図５は、この変形例に係る廃棄物処分場１における廃棄物の埋立を行う工程を説明するための図である。なお、図５は、例として、第１埋立区画に埋立が行われる様子を示しているが、他の埋立区画に関しても同様の手順で埋立が行われる。
【００６２】
図５（Ａ）は、覆蓋施設１２により覆蓋された第１埋立区画の底面上に廃棄物層２１（１）が形成されている状態を示している。処分ピット１１の底面部には浸出水を浸出水処理施設１４（図５において図示略）へ排出するための排水管ｐが配置されている。この状態において、覆蓋施設１２内で散水設備１２４（図５において図示略）により散水された水（矢印ｗ１）は、廃棄物層２１（１）を透過して処分ピット１１の底面に達し（矢印ｗ２）、その後、排水管ｐに流れ込んで（矢印ｗ３）、浸出水処理施設１４へと排出される。
【００６３】
図５（Ｂ）は、覆蓋施設１２により覆蓋された第１埋立区画において、廃棄物層２１（１）の形成が完了し、その上に覆土層３１（１）が形成されている状態を示している。この状態において、覆蓋施設１２内で散水設備１２４により散水された水（矢印ｗ４）は、覆土層３１（１）及び廃棄物層２１（１）を透過して処分ピット１１の底面に達し（矢印ｗ５）、その後、排水管ｐに流れ込んで（矢印ｗ６）、浸出水処理施設１４へと排出される。
【００６４】
図５（Ｃ）は、覆土層３１（１）の形成が完了した後、覆蓋施設１２が移動された後の第１埋立区画の状態を示している。この状態において、降雨による雨水（矢印ｗ７）は、覆土層３１（１）及び廃棄物層２１（１）を透過して処分ピット１１の底面に達し（矢印ｗ８）、その後、排水管ｐに流れ込んで（矢印ｗ９）、浸出水処理施設１４へと排出される。
【００６５】
図５（Ｄ）は、図５（Ｃ）の状態において廃棄物層２１（１）の安定化が十分に進んだ後、覆土層３１（１）の上に不透水層４１（１）が配置された状態を示している。
【００６６】
図５（Ｅ）は、不透水層４１（１）が配置された後、第１埋立区画が再び覆蓋施設１２により覆蓋され、不透水層４１（１）の上に廃棄物層２２（１）が形成されている状態を示している。この状態において、覆蓋施設１２内で散水設備１２４により散水された水（矢印ｗ１０）は、廃棄物層２２（１）を透過して不透水層４１（１）に達し（矢印ｗ１１）、不透水層４１（１）上を処分ピット１１の側壁と覆蓋施設１２の幕１２３に向かい流れ（矢印ｗ１２）、処分ピット１１の側壁及び覆蓋施設１２の幕１２３に沿って下降し排水管ｐに流れ込み（矢印ｗ１３）、浸出水処理施設１４へと排出される。
【００６７】
この変形例によれば、安定化した廃棄物層の上に安定化していない廃棄物が投入される場合に、安定化していない廃棄物からの浸出水が、安定化している廃棄物層に浸入することが回避される。
【００６８】
（２）上述の実施形態において、１つの埋立区間における廃棄物層及び覆土層の形成が完了した後、次に廃棄物層及び覆土層の形成を行う埋立区間の選択は、第１埋立区画、第２埋立区画、第３埋立区画、第４埋立区画、第１埋立区画、・・・というように、一定の順序で巡回する規則に従い行われるものとしたが、廃棄物の埋立を行う第１埋立区画の選択の規則はこれに限られない。例えば、各々の埋立区画で廃棄物層の形成が１回以上行われた後、次に埋立を行う埋立区画を選択する際に、複数の埋立区間の各々の安定化の進行度、すなわち、ｐＨ及び有機物分解の進行度の少なくとも一方を特定し、特定したｐＨ及び有機物分解の進行度の少なくとも一方に基づき、満杯になっていない埋立区画の中から覆蓋施設１２の移動先の埋立区画、すなわち、次に埋立を行う埋立区画を選択してもよい。
【００６９】
（３）上述の実施形態においては、処分ピット１１は４つの埋立区画に区分されるものとしたが、処分ピット１１を構成する埋立区画の数は２以上であればいずれの数であってもよい。
【００７０】
（４）上述の実施形態においては、用いられる覆蓋施設１２の数は１つであるものとしたが、２以上の覆蓋施設により、処分ピット１１の２以上の埋立区画が同時に覆蓋されてもよい。図６は、２つの処分ピット、すなわち、処分ピット５１１、５１２を備える廃棄物処分場において、処分ピット５１１において覆蓋施設５２１を用い、処分ピット５１２において覆蓋施設５２２を用いて廃棄物の埋立処分を行う方法を説明するための図（平面図）である。
【００７１】
図６（Ａ）は、覆蓋施設５２１が処分ピット５１１の第１埋立区画を覆蓋し、覆蓋施設５２２が処分ピット５１２の第１埋立区画を覆蓋している状態を示している。この状態で、作業者は、処分ピット５１１の第１埋立区画に廃棄物を投入し、その後、覆土を行う。続いて、作業者は、処分ピット５１２の第１埋立区画に廃棄物を投入し、その後、覆土を行う。
【００７２】
処分ピット５１２において廃棄物の投入又は覆土が行われている間に、作業者は、覆蓋施設５２１を処分ピット５１１の第２埋立区画へ移動する。図６（Ｂ）は、覆蓋施設５２１が処分ピット５１１の第２埋立区画へ移動した状態を示している。
【００７３】
覆蓋施設５２２により覆蓋された処分ピット５１２の第１埋立区画における廃棄物の投入及び覆土が完了すると、作業者は、覆蓋施設５２１で覆蓋された処分ピット５１１の第２埋立区画における廃棄物の投入及び覆土を行う。
【００７４】
処分ピット５１１において廃棄物の投入又は覆土が行われている間に、作業者は、覆蓋施設５２２を処分ピット５１２の第２埋立区画へ移動する。図６（Ｃ）は、覆蓋施設５２２が処分ピット５１２の第２埋立区画へ移動した状態を示している。
【００７５】
上述のように複数の覆蓋施設を用いることにより、１つの覆蓋施設の移動中に他の覆蓋施設で覆蓋された埋立区画における廃棄物の埋立及び覆土の作業を並行して行うことができる。
【００７６】
（５）上述した実施形態において例示した廃棄物層の厚さ及び覆土層の厚さは法令に規定の範囲内で様々に変更されてよい。また、上述した実施形態においては、処分ピット１１を満杯にする廃棄物層及び覆土層の数は３であったが、その数は２以上であればいずれの数であってもよい。
【００７７】
（６）上述した実施形態において、覆蓋施設１２の移動の方式として、スライド方式が採用される場合を説明したが、覆蓋施設１２の移動の方式はこれに限られず、吊り上げ方式、解体組立方式等のいずれの方式が採用されてもよい。
【符号の説明】
【００７８】
１…廃棄物処分場、１１…処分ピット、１２…覆蓋施設、１３Ｒ…レール、１３Ｌ…レール、１４…浸出水処理施設、１２４…散水設備、５１１…処分ピット、５１２…処分ピット、５２１…覆蓋施設、５２２…覆蓋施設。
【図１】
2019217470.tif 000003
【図２】
2019217470.tif 000004
【図３】
2019217470.tif 000005
【図４】
2019217470.tif 000006
【図５】
2019217470.tif 000007
【図６】
2019217470.tif 000008